(57)【要約】【課題】  この発明は、背の低い年少者や車椅子に乗った身障者等にとっても使い勝手がよく、しかも手差し給紙用トレイから取り込んだ原稿を読み取るための専用の原稿読み取り装置を別途設ける必要がない画像形成装置を提供することを目的とする。【解決手段】  コンタクトガラス上に配置された原稿の画像を読み取る原稿読取装置を備えている画像形成装置において、手差しトレイにセットされた原稿をコンタクトガラス上に搬送するための第１搬送手段、第１搬送手段によって手差しトレイからコンタクトガラス上に搬送された原稿の画像を、上記原稿読取装置によって読み取らせるための制御手段、および第１搬送手段によって手差しトレイからコンタクトガラス上に搬送された原稿を排紙トレイまで搬送するための第２搬送手段を備えている。【選択図】  図１
2006084656.tif 000002
【特許請求の範囲】
【請求項１】
コンタクトガラス上に配置された原稿の画像を読み取る原稿読取装置を備えている画像形成装置において、
手差しトレイの使用モードには、手差しトレイを記録紙を手差しで供給するために使用する通常モードと、手差しトレイを画像を読み取らせるべき原稿を手差しで供給するために使用する原稿読み取りモードとがあり、
手差しトレイの使用モードが原稿読み取りモードに設定されている場合に、手差しトレイにセットされた原稿をコンタクトガラス上に搬送するための第１搬送手段、
第１搬送手段によって手差しトレイからコンタクトガラス上に搬送された原稿の画像を、上記原稿読取装置によって読み取らせるための制御手段、および
第１搬送手段によって手差しトレイからコンタクトガラス上に搬送された原稿を排紙トレイまで搬送するための第２搬送手段、
を備えていることを特徴とする画像形成装置。
【請求項２】
手差しトレイの使用モードを切り替えるためのモード設定部が、画像形成装置本体の上面より低い位置に設けられていることを特徴とする請求項１に記載の画像形成装置。
【発明の詳細な説明】
【技術分野】
【０００１】
この発明は、複写機等の画像形成装置に関する。
【背景技術】
【０００２】
複写機として、背の低い年少者や車椅子に乗った身障者等にとっても使い勝手がよくなるように、手差し給紙用トレイから原稿を取込み、取り込んだ原稿を通常の原稿読み取り装置とは別に設けられた専用の原稿読み取り装置によって読み取るようにしたものが開発されている（特開２００４−４０６２７号公報参照）。
【０００３】
上記従来の複写機では、通常の原稿読み取り装置の他に、手差し給紙用トレイから取り込んだ原稿を読み取るための専用の原稿読み取り装置が必要となる。
【特許文献１】特開２００４−４０６２７号公報
【発明の開示】
【発明が解決しようとする課題】
【０００４】
この発明は、背の低い年少者や車椅子に乗った身障者等にとっても使い勝手がよく、しかも手差し給紙用トレイから取り込んだ原稿を読み取るための専用の原稿読み取り装置を別途設ける必要がない画像形成装置を提供することを目的とする。
【課題を解決するための手段】
【０００５】
請求項１に記載の発明は、コンタクトガラス上に配置された原稿の画像を読み取る原稿読取装置を備えている画像形成装置において、手差しトレイの使用モードには、手差しトレイを記録紙を手差しで供給するために使用する通常モードと、手差しトレイを画像を読み取らせるべき原稿を手差しで供給するために使用する原稿読み取りモードとがあり、手差しトレイの使用モードが原稿読み取りモードに設定されている場合に、手差しトレイにセットされた原稿をコンタクトガラス上に搬送するための第１搬送手段、第１搬送手段によって手差しトレイからコンタクトガラス上に搬送された原稿の画像を、上記原稿読取装置によって読み取らせるための制御手段、および第１搬送手段によって手差しトレイからコンタクトガラス上に搬送された原稿を排紙トレイまで搬送するための第２搬送手段を備えていることを特徴とする画像形成装置。
【０００６】
請求項２に記載の発明は、請求項１に記載の画像形成装置において、手差しモードを切り替えるためのモード設定部が、画像形成装置本体の上面より低い位置に設けられていることを特徴とする。
【発明の効果】
【０００７】
この発明によれば、背の低い年少者や車椅子に乗った身障者等にとっても使い勝手がよく、しかも手差し給紙用トレイから取り込んだ原稿を読み取るための専用の原稿読み取り装置を別途設ける必要がない画像形成装置が得られる。
【発明を実施するための最良の形態】
【０００８】
以下、図面を参照して、この発明を複写機に適用した場合の実施例について説明する。
【実施例１】
【０００９】
図１は、複写機の機構を示している。
【００１０】
複写機本体１００の上面には、通常時において、複写すべき原稿（複写原稿）が載置されるコンタクトガラス１が設けられている。複写機の上面には、自動原稿搬送装置（ＡＤＦ）２００が設けられている。さらに、複写機の上面には、図示しない操作表示部（主操作部）が設けられている。
【００１１】
ＡＤＦ２００は、ＡＤＦ２００の原稿トレイ２０１にセットされた原稿を給紙してコンタクトガラス１上に搬送するための給紙ローラ２０２、搬送ローラ対２０３、搬送ローラ２０４、原稿搬送ベルト２０５を備えている。また、コンタクトガラス１上に搬送された原稿をＡＤＦ２００の排出部２０８上に排出するための原稿搬送ベルト２０５、搬送ローラ２０６、搬送ローラ対２０７を備えている。
【００１２】
原稿搬送ベルト２０５は、通常は、矢印Ａの方向に移動せしめられるが、後述するように、逆方向（矢印Ｂの方向）に移動せしめられる場合もある。
【００１３】
複写機本体の下部には、３つの給紙カセット２、３、４が設けられている。複写機本体の右側面の中段には、手差しトレイ５が設けられている。複写機本体の左側面の中段には、排紙トレイ６が設けられている。複写機本体の前面の中段の右端側には、操作部（副操作部）７が設けられている。通常は、手差しトレイ５には、記録紙がセットされる。この実施例では、背の低い年少者や車椅子に乗った身障者等のために、手差しトレイ５に原稿をセットさせ、セットされた原稿を読み取ることも可能となっている。
【００１４】
つまり、この複写機では、手差しトレイ５の使用モード（以下、手差しモードという）には、手差しトレイ５を記録紙を手差しで供給するために使用する通常モードと、手差しトレイ５を画像を読み取らせるべき原稿を手差しで供給するために使用する原稿読み取りモードとがある。操作部７には、手差しモードを切り替えるためのモード切替えスイッチ８とスタートボタン９とが設けられている。
【００１５】
複写機本体内の上部には、露光機構、プリント機構、記録紙搬送機構の他、ＡＤＦ２００内の原稿搬送ベルト２０５と協動することにより、手差しトレイ５にセットされた原稿をコンタクトガラス１上に搬送した後、排紙トレイ６まで搬送するための原稿搬送機構が設けられている。
【００１６】
露光機構（原稿読み取り装置）２０は、コンタクトガラス１上に載置された原稿の画像を走査するための露光ランプ２１および原稿からの反射光を反射する第１ミラー２２を備えた第１光学走行体３１、第１ミラー２２によって反射された光を集光レンズ２５に導くための第２および第３ミラー２３、２４を備えた第２光学走行体３２、集光レンズ２５によって得られた光情報を電気信号に変換するためのＣＣＤ等の固体撮像素子２６、固体撮像素子２６によって得られた画像情報等が入力される制御ユニット２７ならびに制御ユニット２７からの信号を光信号（レーザ光）に変換するレーザユニット２８を備えている。レーザユニット２８から出力されるレーザ光は、感光体ドラム１１に照射される。
【００１７】
第１光学系走行体３１および第２光学系走行体３２は、図示しないスキャンモータによって、左右方向に往復動される。第２光学系走行体３２は、第１光学系走行体３１の速度の１／２の速度で、第１光学系走行体３１の移動距離の１／２の距離を移動する。
【００１８】
制御ユニット２７には、固体撮像素子２６によって得られた画像情報の他、操作表示部、操作部７等からの信号が入力される。制御ユニット２７は、複写機全体の制御を行う他、複写原稿に対する固体撮像素子２６の出力（画像情報）に基づいて画像形成を行うための信号を生成してレーザユニット２８に制御信号を出力する機能を備えている。
【００１９】
プリント機構は、感光体ドラム１１を備えている。感光体ドラム１１は、図示しないメインモータによって矢印の方向に回転駆動される。感光体ドラム１１の周囲には、その回転方向の順に、感光体ドラム１１の表面の感光層を帯電させる帯電器１２、感光層上に形成された静電潜像をトナー顕像として顕像化する現像装置１３、感光層上に形成されたトナー顕像を記録紙に転写する転写用放電器１４、感光体ドラム１１から記録紙を分離するための分離用放電器１５、転写後の感光体ドラム１１上に残留しているトナーを除去するクリーニング装置１６および感光体ドラム１１表面の電荷を除去する除電器１７が配されている。
【００２０】
記録紙搬送機構は、給紙カセット２、３、４の右側から手差トレイ５付近まで上方にのび、それから左側に屈曲して排紙トレイ６までのびた記録紙搬送路６１を備えている。記録紙搬送路６１の各給紙カセット２、３、４付近には、図示しない給紙ローラおよびさばきローラ対が設けられている。また、記録紙搬送路６１の感光体ドラム１１の上流側には、記録紙を所定のタイミングで感光体ドラム１１に搬送するためのレジストローラ対５７が設けられている。さらに、記録紙搬送路６１の感光体ドラム１１と定着ローラ対５９との間には、感光体ドラム１１上に形成されたトナー顕像が転写されかつ感光体ドラム１１から剥離された記録紙を定着ローラ対５９まで搬送する搬送ベルト５８が設けられている。定着ローラ対５９によって定着処理が施された転写紙は、排出ローラ６０を介して排紙トレイ６上に送られる。
【００２１】
手差しトレイ５にセットされた原稿を読み取り位置まで搬送した後、排紙トレイ６まで搬送するための原稿搬送機構について説明する。
【００２２】
複写機本体１００の上面のコンタクトガラス１の右側位置および左側位置には、前後方向にのびた原稿通過孔７１ａ、７２ａが形成されている。複写機本体１００内の右側には、手差しトレイ５から原稿通過孔７１ａまでのびた第１原稿搬送路７１が形成されている。また。複写機本体１００内の左側には、原稿通過孔７２ａから排紙トレイ６までのびた第２原稿搬送路７２が形成されている。
【００２３】
第１原稿搬送路７１の手差しトレイ５側の端部は、記録紙搬送経路６１の屈曲部と合流している（繋がっている）。第１原稿搬送路７１の手差しトレイ５側の端部には、手差しトレイ５にセットされた原稿または記録紙を給紙するための給紙ローラ８１が設けられている。また、第１原稿搬送路７１と記録紙搬送経路６１とが合流している部分には、給紙ローラ８１によって給紙された原稿または記録紙を、第１原稿搬送路７１または記録紙搬送経路６１に案内するための分岐爪８２が設けられている。分岐爪８２は、常時は破線の位置にあり、手差しトレイ５上にセットされた原稿を第１原稿搬送路７１に送る際には、実線の位置に位置せしめられる。
【００２４】
第１原稿搬送路７１の下端よりの位置および上端よりの位置には、搬送ローラ対８３、８４が設けられている。第１原稿搬送路７１の上端よりには、原稿検出用スイッチ８５が設けられている。また、複写機本体１００の原稿通過孔７１ａの右側には、ＡＤＦ２００によってコンタクトガラス１上に送られてきた原稿をＡＤＦ２００側の排出経路に案内するためのガイド９１が設けられている。
【００２５】
複写機本体１００の原稿通過孔７２ａの左側には、手差トレイ５から第１原稿搬送路７１を介してコンタクトガラス１上に送られてきた原稿を、第２原稿搬送路７２に案内するためのガイド９２が設けられている。第２原稿搬送路７２の下端部は、記録紙搬送経路６１の左端部と合流している。第２原稿搬送路７２の上端よりの位置および下端よりの位置には、搬送ローラ対８６、８７が設けられている。
【００２６】
以下、手差しトレイに原稿をセットして読み取らせる場合の動作について説明する。
【００２７】
ユーザは、操作部７上のモード切替スイッチ８によってモードを原稿読み取りモードに設定する。そして、手差しトレイ５に原稿をセットした後、操作部７上のスタートボタン９を押す。
【００２８】
スタートボタン９が押されると、分岐爪８２が図１の破線の位置から実線の位置に切り替えられる。次に、給紙ローラ８１によって手差しトレイ５にセットされた原稿が給紙されて、第１原稿搬送路７１に案内される。第１原稿搬送路７１に案内された原稿は、搬送ローラ対８３、８４によって第１原稿搬送路７１に沿って、上方に搬送される。原稿検出用スイッチ８５によって原稿の先端部が検出されると、タイミングを合わせるため一旦原稿が停止せしめられる。
【００２９】
この後、搬送ローラ対８３、８４が駆動されるとともにＡＤＦ２００内の原稿搬送ベルト２０５が所定時間だけ矢印Ｂで示す方向に駆動される。これにより、原稿は、原稿通過孔７１ａを通ってコンタクトガラス１上に搬送せしめられる。そして、露光機構（原稿読み取り装置）２０によって、原稿の画像が読み取られる。
【００３０】
原稿画像が読み取られると、ＡＤＦ２００内の原稿搬送ベルト２０５が矢印Ｂで示す方向に駆動され、コンタクトガラス１上の原稿は、原稿通過孔７２ａを通って第２原稿搬送路７２内に送られる。第２原稿搬送路７２内に送られた原稿は、搬送ローラ対８６、８７によって排紙トレイ６上に排出される。
【００３１】
手差しトレイ５上に原稿が存在している場合には、上記動作が繰り返される。
【００３２】
なお、操作部７上のモード切替スイッチ８によってモードを原稿読み取りモードに設定した後に、手差しトレイ５上に原稿がセットされた場合には、スタートボタン９を押さなくても、給紙が開始されるようにしてもよい。
【００３３】
また、２以上の人体検知センサを用いて、ユーザの身長が所定の高さより低いか否かを検出し、ユーザの身長が所定の高さより低いと判別した場合には、手差しモードを原稿読み取りモードに自動的に設定するようにしてもよい。
【図面の簡単な説明】
【００３４】
【図１】複写機の機構を示す概略構成図である。
【符号の説明】
【００３５】
１  コンタクトガラス
５  手差しトレイ
７  操作部
２０  露光機構（原稿読み取り装置）
７１  第１原稿搬送路
７２  第２原稿搬送路
８２  分岐爪
１００  複写機本体
２００  自動原稿搬送装置（ＡＤＦ）
２０５  原稿搬送ベルト
【図１】
2006084656.tif 000003